(57)【要約】      （修正有）【課題】石塔型の墓において、花立て筒に供えた“しきび”の花などが水の枯渇によって早々に枯死するのを防止するため、相当量の水を自動給水することにより花の寿命を延伸させることを目的とした装置を提供する。【解決手段】従来の墓に貯水槽２と予備水槽７や配管等を添設し、花立てと同水位の予備水槽を配管によって結び、花立て３，４の保有水が減少すれば予備水槽から補給し、これによって、予備水槽の水位が下がれば貯水槽から貯水が流れ出して予備水槽が満水する仕組みとし、貯水槽の貯水が欠乏するまで花立ての保有水が補給される。従って、新規に墓を建造する際にも、このような要素を備えた構造が望ましく、墓の花立ての自動給水によって相当長期間に亘り、花立て筒の保有水の枯渇が延伸されて墓に供えた花が簡単に枯死しない。【選択図】図１
0003159113.tif 000002
【実用新案登録請求の範囲】
【請求項１】
墓に貯水槽と予備水槽および配管を添設し、サイホン現象により自動的に花立て筒の減水を補充できる装置。
【請求項２】
貯水槽と予備水槽および配管構造を備え、花立て筒に自動給水できる石塔型の墓。
【考案の詳細な説明】
【技術分野】
【０００１】  本考案は石塔型の墓において、花立て筒に供えた“しきび”の花（以下花）などが水の枯渇によって早々に枯死するのを防止するため、貯水槽を備えて相当量の水を自動給水することにより花の寿命を延伸させることを目的とした装置に関するものである。
【考案の開示】
【考案が解決しようとする課題】
【０００２】  通常、石塔型の墓は各図に示すように幾つもの整形した石を積み重ねて構築されているが、形や大きさの仕様は千差万別である。【０００３】  その中において、本考案の意図する墓の花立て筒（以下花立て）は何らかの形態で墓の前面左右に備えてあるが、供える花に必要な水の量は限られており、大抵の場合、夏場には３・４日、春秋の季節でも１週間あまりしか、花が吸収する水量と天日蒸発による自然現象に耐えられず、短期日で水が枯渇し供えた花は枯死を余儀なくされるものである。【０００４】  また、これらのアクシデントを無くしようとすれば、頻繁な墓参りによって花立ての水を間断なく取り換えるなり、花立ての保有水の補給を欠かさないことが必要である。【０００５】  しかし、実際問題として頻繁に墓参りをすることは大抵の場合不可能に等しいが、墓に供えた花はできるだけ長持ちをして欲しい心情は誰にもある。【０００６】  従ってこの考案は、このような問題を解決することを課題とする。
【課題を解決するための手段】
【０００７】  本考案は前述の課題を解決するため、石塔型の墓本来の形状に貯水槽を付加して、墓の花立てに自動的に水を補給できる構造を設けることとする。【０００８】  すなはち、本考案は墓に添設した貯水槽に貯蔵された相当量の水を補給水とし、花立ての保有水が減少するとともに予備水槽の水位も下がって貯水槽に空気が入り、貯水槽の貯水が予備水槽に流下して、予備水槽と同じ水位にある花立てに補給される仕組みとする。【０００９】  いわゆる、この考案の構造によって花立ての水量が減少する状況に応じて花立てに水が自動的に補給されるので、貯水槽に蓄えられた水が無くなるまで相当長期間にわたって花立ての水が潤沢に保たれることになる。従って、墓に供えた花などが早々に枯れることなく長持ちすることとなる。
【考案の効果】
【００１０】  この考案を石塔型の墓に用いた場合、次に述べるような効果を生じる。【００１１】  この考案による石塔型の墓は、極端に頻繁な墓参りをしなくても、貯水槽の貯水量に応じて、かなり長期間に亘って墓に供えた花が消耗する水分と天日による蒸発水を自動的に補充することができ、花立てに供えた花の寿命を相当期間延伸することができる。【００１２】  また、この考案による墓の貯水槽は密閉されているため、貯水している水には蚊が発生せず異物や塵埃の混入も無く、いつも花立ての水を良質に保つことができる。【００１３】  すなはち、墓の花立てに供えた花は、植物であるため花立てに保有する水の水質が極端に悪くなると花の寿命にも影響し、早々に枯れる原因にもなることから本考案による自動給水により、暫時に花立ての水を少量ながら交換させることとなり水の腐敗を防止する効果もあって、花の状態を良好に保つ結果となり供えた花に有効な効果を生むことになる。
【考案を実施するための最良の状態】
【００１４】  本考案は従来の石塔型の墓に貯水槽と予備水槽を装備する構造とし、左右２個の花立てを予備水槽から二本の配管によってそれぞれに連結することで所期の目的が達せられることになる。
【００１５】  この場合、予備水槽にある水が花立てに流下するように、花立ての水位とほぼ同じ水位の予備水槽を介して二本の配管によりそれぞれ左右の花立てに連結することとする。
【００１６】  そして、貯水槽は補給水を満たしたまま給水口を下にして予備水槽の水面に接するように設置する。
【００１７】  また、新規に墓を建立する場合は、花立てを配する石塔に空洞を設けて貯水槽と予備水槽を配備し、予備水槽から配管となる二本の穴を貫通させ、左右２個の花立てにそれぞれ貯水を送る配管として連結させて本考案による構造を採用することができる。
【００１８】  いわゆる、貯水槽は補給水を充填した時点で逆さまにして給水口を予備水槽の水面に浸けて保持する。従って、貯水が予備水槽を満たし花立てと同水位になった時点で補給水の流下が停止し、貯水の重量によって貯水槽内は真空状態に保たれることとなる。
【００１９】  つぎに、花立てに配管を連結する部位は花立てのやや下部とし、花立てに保有する水が減少して配管でつながる予備水槽から補給水が流下することで、花立ての水位が一定に保たれ、花立ての保有水は少しづつ補充して交換されながら新鮮さを保つこととなる。
【００２０】  この場合、予備水槽から花立てに補充して水面が下がると貯水槽の給水口が露出するので、空気が真空状態の貯水槽内に入り貯水が流出して予備水槽を満たすこととなる。
【００２１】  この考案の自動給水は以上の如き現象で行われ、貯水槽の貯水が欠乏するまで花立てに新鮮な水が断続的にかつ自動的に供給される。
【００２２】  本考案は以上のような経過で、貯水槽に蓄えられた貯水が予備水槽ならびに花立てに供給されるので、いつも花立ての保有水を潤沢に保たれることとなる。
【実施例】  以下、本考案による実施例を図面に基づいて説明する。【００２３】  まず、既設の石塔型の墓１にあっては、１図と２図の如く貯水槽２と予備水槽７を石塔Ｃの背面に備え、左側の花立て３および右側の花立て４の下部は配管５および６で予備水槽７と連結する。【００２４】  いわゆる、花立て３と４は配管５および６によって予備水槽７と連結して、花立ての保有水ａと予備水槽７の貯水ｂの水位が同水位ｅになるように設置する。【００２５】  また、墓全体のデザインを考慮して新規に墓を建立する場合は、貯水槽２と予備水槽７を石塔Ｂなどの構造に内蔵する工作も可能である。【００２６】  本考案の作用を図３で説明すると、貯水槽２の貯水を満たして石塔に装着する様は、貯水槽２を逆さまにして給水口ｄを下方に向け予備水槽７の貯水ｂに浸けて設置する。【００２７】  前述の如く貯水槽２を設置し、左右の花立て３および４の保有水ａが減水した場合、同水位ｅにある予備水槽７の貯水ｂが花立てに流れて水位ｅが低下する。【００２８】  従って、予備水槽７の貯水ｂの水位が低下すると、貯水槽２の給水口ｄが予備水槽７の貯水ｂの水面から露出し、同時に空気ｆが真空の貯水槽２に吸収され換わって貯水ｃが流出し、予備水槽７を満たしてサイホン現象により花立てに吸水することになる。【００２９】  以上のような経過で、同水位ｅになるように配管５および６で連結されている花立て３および４の保有水ａが自動的に補充できることとなる。
【産業上の利用可能性】
【００３０】  従来、石塔型の墓において、花立ての保有水が枯渇して供えた花などが早々に枯死する問題は恒常的になっており、人情的に花などが長持ちすることが望ましい。【００３１】  一方では、いつの時代も“しきび”の花などは比較的に高価であり、本考案による花立ての保有水の自動給水による花の長持ちは経費節減上でも共通の願望である。【００３２】  このように前述のことからも、本考案による装置の必要性は大きく、新しく建立する墓の構造上でも参考となる考案である。
【図面の簡単な説明】
【００３３】
【図１】本考案の仕組みを既設の墓に装着した状態を表わす正面からの写視図。
【図２】本考案の仕組みを既設の墓に装着した状態を表わす背面からの写視図。
【図３】本考案の仕組みを既設の墓に装着した場合の作用を説明する側面図。
【符号の説明】
【００３４】１．石塔型の墓。
２．貯水槽。
３．左側の花立て。
４．右側の花立て。
５．６．予備水槽と花立てを連結する配管。
７．予備水槽。
Ａ．Ｂ．Ｃ．石塔型の墓の部位。
ａ．花立ての保有水。
ｂ．予備水槽の貯水。
ｃ．貯水槽の貯水。
ｄ．貯水槽の吸水口。
ｅ．花立てと予備水槽の同水位を示す。
ｆ．貯水槽に流入する空気。
【図１】
0003159113.tif 000003
【図２】
0003159113.tif 000004
【図３】
0003159113.tif 000005
【手続補正書】
【提出日】平成21年12月16日(2009.12.16)
【手続補正１】
【補正対象書類名】実用新案登録請求の範囲
【補正対象項目名】全文
【補正方法】変更
【補正の内容】
【実用新案登録請求の範囲】
【請求項１】
石塔型の墓の前面に配した花立て筒の必要水面と、石塔背後に添設した予備水槽の保有水面が同水位になるように配管によって接続し、加えて予備水槽の水面に吸水口を浸ける形体で貯水槽を予備水槽の上部に配することにより、花立て筒の減水に際しサイホン現象により予備水槽から花立て筒に自動給水できる装置。
【請求項２】
請求項１における、花立て筒と配管および予備水槽と貯水槽を石塔の構造物として仕組み、花立て筒の必要水面が低下した際に自動給水できる構造を有する墓。
【手続補正書】
【提出日】平成22年2月18日(2010.2.18)
【手続補正１】
【補正対象書類名】実用新案登録請求の範囲
【補正対象項目名】全文
【補正方法】変更
【補正の内容】
【実用新案登録請求の範囲】
【請求項１】
石塔型の墓の前面に配した花立て筒の必要水面と、石塔背後に添設した予備水槽の保有水面が同水面になるように配管によって接続し、加えて予備水槽の水面に吸水口を浸ける形体で貯水槽を予備水槽の上部に配することにより、花立て筒の減水に際しサイホン現象により予備水槽から花立て筒に自動給水できる装置。
【請求項２】
請求項１に記載の前記装置を石塔の構造物として仕組み、花立て筒の必要水面が低下した際に自動給水できる構造を有する墓。